(57)【要約】【課題】  この発明は携帯電話端末を使用して、広告を取りつけた広告枠に貼付したＩＣタグの情報を読み取り、これに基づいてインターネットのサーバに連絡し、前記情報に対する予約又は商品購入をすることを目的としたものである。【解決手段】  この発明は、案内広告の取付枠などに貼付されたＩＣタグと、ＩＣタグリーダを内蔵し、読み取ったＩＤを処理する処理手段と、該処理手段により処理して得た処理結果をネットワークを介してサーバに送出する送出機能を有する携帯電話端末と、送られたＩＤから対応する掲示に関連したＵＲＬ情報を、前記携帯電話端末に返送するサーバとからなることを特徴とした携帯電話によるＩＣタグネットワークシステムにより目的を達成した。【選択図】      図１
2005128098.tif 000002
【特許請求の範囲】
【請求項１】
案内広告の取付枠などに貼付されたＩＣタグと、ＩＣタグリーダを内蔵し、読み取ったＩＤを処理する処理手段と、該処理手段により処理して得た処理結果をネットワークを介してサーバに送出する送出機能を有する携帯電話端末と、送られたＩＤから対応する掲示に関連したＵＲＬ情報を、前記携帯電話端末に返送するサーバとからなることを特徴とした携帯電話によるＩＣタグネットワークシステム。
【請求項２】
取付枠などは、電車・バスなどの広告吊枠、その他の広告掲示板又は広告塔としたことを特徴とする請求項１記載の携帯電話によるＩＣタグネットワークシステム。
【請求項３】
携帯電話端末は、ＩＣタグからのＩＤを読み取り、サーバへのＵＲＬ情報の問合せ、返送されたＵＲＬで指定されるｅ−コマースサイトへのアクセスと、これによる予約又は商品購入手続を自動処理するスタートボタンを具備させたことを特徴とする請求項１記載の携帯電話によるＩＣタグネットワークシステム。
【請求項４】
サーバは、ＩＣタグとＩＤと案内広告の対応、案内広告とリンクするＵＲＬの登録、削除又は変更を可能とする機能を有し、かつネットワークを介したＩＤをキーとする問合せに対して、前記ＩＤに対応する登録されたＵＲＬを返送する機能を有する複数の案内広告を、一括して管理することを特徴とした請求項１記載の携帯電話によるＩＣタグネットワークシステム。
【請求項５】
サーバは、案内広告枠に貼付する案内広告ちらしのＩＣタグによる情報の、登録、削除又は変更を、複数の案内広告枠に対して一括して管理することを特徴とした請求項1記載の携帯電話によるＩＣタグネットワークシステム。
【請求項６】
サーバは、案内広告枠と案内広告ちらしの対応情報をもとに、ＩＣタグのＩＤと、案内広告ちらしの対応、案内広告ちらしとリンクするＵＲＬの登録、削除又は変更を可能とする機能を有し、かつネットワークを介したＩＤをキーとする問合せに対し、前記ＩＤに対応する登録されたＵＲＬを返送する機能を有する複数の案内広告枠を一括して管理することを特徴とした請求項１又は５記載の携帯電話によるＩＣタグネットワークシステム。
【請求項７】
携帯電話端末は、ＰＤＡ又はＰＣ端末と代ることを特徴とした請求項１記載のＩＣタグネットワークシステム。
【請求項８】
案内広告の取付枠などに貼付されたＩＣタグと、ＩＣタグリーダを内蔵し、読み取ったＩＤを処理する処理手段と、該処理手段により処理して得た処理結果をネットワークを介してサーバに送出する送出機能を有する携帯電話端末と、送られたＩＤから対応する掲示に関連したＵＲＬ情報を、前記携帯電話端末に返送するサーバとからなると共に、前記携帯電話端末にＵＲＬ履歴を蓄積保持することにより、アクセス、購入、購入中止、予約及び予約取消を一括して処理できるようにしたことを特徴とする携帯電話によるＩＣタグネットワークシステム。
【請求項９】
案内広告の取付枠などに貼付されたＩＣタグと、ＩＣタグリーダを内蔵し、読み取ったＩＤを処理する処理手段と、該処理手段により処理して得た処理結果をネットワークを介してサーバに送出する送出機能を有する携帯電話端末と、送られたＩＤから対応する掲示に関連したＵＲＬ情報を、前記携帯電話端末に返送するサーバとからなると共に、サーバに蓄積された電車番号、車両番号又は掲載場広告掲示板位置などの情報を広告申込者が理解できる情報に変換して、前記広告申込者に送信することを特徴とした携帯電話によるＩＣタグネットワークシステム。
【請求項１０】
案内広告の取付枠などに貼付されたＩＣタグと、ＩＣタグリーダを内蔵し、読み取ったＩＤを処理する処理手段と、該処理手段により処理して得た処理結果をネットワークを介してサーバに送出する送出機能を有する携帯電話端末と、送られたＩＤから対応する掲示に関連したＵＲＬ情報を、前記携帯電話端末に返送するサーバとからなると共に、携帯電話端末からサーバへの問合せに対し、ＵＲＬ情報を返すときに、アクセスしたときの位置、アクセス時刻などの情報を蓄積し、広告申込者に送信できるようにしたことを特徴とする携帯電話によるＩＣタグネットワークシステム。
【発明の詳細な説明】
【技術分野】
【０００１】
この発明は、車内吊広告、屋外広告掲示板又は、広告塔などの取付枠に貼付したＩＣタグを携帯電話で読み取り、読み取ったＩＤを処理し、その結果をネットワークを介してサーバに送り、予約又は商品購入その他の処理を行うものであって、広告、宣伝、観光、マーケッティング、各種イベントなどを支援する情報ネットワークシステムの技術分野に属する。
【背景技術】
【０００２】
従来広告看板や表示媒体にＲＦ−ＩＤタグを取り付けて観察者が必要な情報をＲＦ−ＩＤタグリーダーで取得できるようにしたＲＦ−ＩＤタグの付いた広告看板と表示媒体とが提案されている（特開２００２−２１５０４９）。
【０００３】
また、広告効果が高く、又は特に広告効果の高い場所を判断可能な広告表示物及び広告効果判定システムを提供する提案がある（特開２００３−７６９２０）。
【特許文献１】特開２００２−２１５０４９
【特許文献２】特開２００３−７６９２０
【発明の開示】
【発明が解決しようとする課題】
【０００４】
従来新商品の広告、映画、イベントの宣伝等のために電車の中吊り広告や、街頭ポスターが広く普及している。これらの広告には、広告対象物の内容、これの入手、又は予約をするための手段が詳しく記載されている場合と、連絡先のみ記載されている場合、又は複数の対象を１枚の広告表示物に含めている場合など、多種多様である。
【０００５】
このような場合に、前記広告を見て興味があったとしても、即座に覚えることは困難である。例えば、電車内で十数分間見ていても、下車すれば忘れたり、街頭で立ち止まっても読み終えて立ち去れば忘れるなど、興味をもってアクセスするには、記帳などの手間を要する。
【０００６】
また下車後思い出しても、アクセスの手段を失っている場合が多く、忘れ去ることになるので、広告の効果を発揮できない場合が多い。
【０００７】
また吊り広告等を通勤車中などで一瞥した時には、手許でじっと見ることができないのみならず、一寸興味を引いた程度では記憶しようとしないか、下車後大変興味があったことに気付いても、アクセスの手段がないことが多いので、吊り広告の効果が小さくなり易い（有効に利用されない）問題点があった。
【０００８】
また吊り広告などは、掲示場所によって乗車している者の注意を引き易かったり、余り注意されなかったりする場合が多いが、このように場所による広告の有効度を正確に把握することは困難であって、管理不可能の問題点があった。
【０００９】
前記ＲＦ−ＩＤタグの付いた広告看板は、当該内容に対する広告効果は前記広告に対するアクセス回数を把握して、その広告効果が推定できるが、広告設置場所及び時間などによる広告効果を知ることができない問題点があった。
【００１０】
また前記広告効果判定システムは、広告を表示する表示物に連絡先情報を発信する発信部を備えさせておき、前記発信部から発信された識別情報を入力して、その入力回数に基づいて広告効果を判断するシステムであるが、広告内容と、場所との関係によるのか、アクセスした者と、広告内容との関係とか不明の場合があって、場所的広告価値を判断するには不正確になり易い問題点があった。
【課題を解決するための手段】
【００１１】
この発明は、通勤者その他の者が持っている確率の大きい携帯電話を利用して、前記広告等のＩＣタグを読み取り、これを保存することにより、前記読み取ったＩＤを処理してネットワークを介しサーバに送ることができるようにし、前記従来の問題点を悉く解決すると共に、広告効果を飛躍的に高め、かつ広告掲載位置による場所的効果も正確に把握することができるようにしたものである。
【００１２】
即ちこの発明は、案内広告の取付枠などに貼付されたＩＣタグと、ＩＣタグリーダを内蔵し、読み取ったＩＤを処理する処理手段と、該処理手段により処理して得た処理結果をネットワークを介してサーバに送出する送出機能を有する携帯電話端末と、送られたＩＤから対応する掲示に関連したＵＲＬ情報を、前記携帯電話端末に返送するサーバとからなることを特徴とした携帯電話によるＩＣタグネットワークシステムであり、取付枠などは、電車・バスなどの広告吊枠、その他の広告掲示板又は広告塔としたことを特徴とするものである。
【００１３】
また、携帯電話端末は、ＩＣタグからのＩＤを読み取り、サーバへのＵＲＬ（Uniform Resource Locator）の問合せ、返送されたＵＲＬで指定されるｅ−コマースサイトへのアクセスと、これによる予約又は商品購入手続を自動処理するスタートボタンを具備させたことを特徴とするものであり、サーバは、ＩＣタグとＩＤと案内広告の対応、案内広告とリンクするＵＲＬの登録、削除又は変更を可能とする機能を有し、かつネットワークを介したＩＤをキーとする問合せに対して、前記ＩＤに対応する登録されたＵＲＬを返送する機能を有する複数の案内広告を、一括して管理することを特徴としたものである。
【００１４】
更に他の発明は、サーバは、案内広告枠に貼付する案内広告ちらしのＩＣタグによる情報の、登録、削除又は変更を、複数の案内広告枠に対して一括して管理することを特徴としたものであり、サーバは、案内広告枠と案内広告ちらしの対応情報をもとに、ＩＣタグのＩＤと、案内広告ちらしの対応、案内広告ちらしとリンクするＵＲＬの登録、削除又は変更を可能とする機能を有し、かつネットワークを介したＩＤをキーとする問合せに対し、前記ＩＤに対応する登録されたＵＲＬを返送する機能を有する複数の案内広告枠を一括して管理することを特徴としたものであり、携帯電話端末は、ＰＤＡ又はＰＣ端末と代ることを特徴としたものである。
【００１５】
前記におけるＩＣタグの読み取り及びサーバとの連絡その他の処理は、携帯電話を使用するものであるが、請求項７に示したように、目的とする情報の送受信に関し、携帯電話端末と同一機能を持たせたＰＤＡ又はＰＣ端末を使用することができる。
【００１６】
この発明は、ＩＣタグから情報を得て、これに基づき予約又は商品購入までの時間を可及的に短縮して、広告の有効度を高めるシステムを提供するものである。
【００１７】
またこの発明によれば、広告について顧客がどの程度認識し、予約又は購買に結びついたか否かを検出し、広告を見てから商品購入までにかかる時間ＴＴＰ（time to purchase）を算定することができる。これにより、広告の費用対効果を正確に割り出すことができる。
【００１８】
更に他の発明は、案内広告の取付枠などに貼付されたＩＣタグと、ＩＣタグリーダを内蔵し、読み取ったＩＤを処理する処理手段と、該処理手段により処理して得た処理結果をネットワークを介してサーバに送出する送出機能を有する携帯電話端末と、送られたＩＤから対応する掲示に関連したＵＲＬ情報を、前記携帯電話端末に返送するサーバとからなると共に、前記携帯電話端末にＵＲＬ履歴を蓄積保持することにより、アクセス、購入、購入中止、予約及び予約取消を一括して処理できるようにしたことを特徴とする携帯電話によるＩＣタグネットワークシステムである。
【００１９】
また他の発明は、案内広告の取付枠などに貼付されたＩＣタグと、ＩＣタグリーダを内蔵し、読み取ったＩＤを処理する処理手段と、該処理手段により処理して得た処理結果をネットワークを介してサーバに送出する送出機能を有する携帯電話端末と、送られたＩＤから対応する掲示に関連したＵＲＬ情報を、前記携帯電話端末に返送するサーバとからなると共に、サーバに蓄積された電車番号、車両番号又は掲載場広告掲示板位置などの情報を広告申込者が理解できる情報に変換して、前記広告申込者に送信することを特徴とした携帯電話によるＩＣタグネットワークシステムであり、案内広告の取付枠などに貼付されたＩＣタグと、ＩＣタグリーダを内蔵し、読み取ったＩＤを処理する処理手段と、該処理手段により処理して得た処理結果をネットワークを介してサーバに送出する送出機能を有する携帯電話端末と、送られたＩＤから対応する掲示に関連したＵＲＬ情報を、前記携帯電話端末に返送するサーバとからなると共に、携帯電話端末からサーバへの問合せに対し、ＵＲＬ情報を返すときに、アクセスしたときの位置、アクセス時刻などの情報を蓄積し、広告申込者に送信できるようにしたことを特徴とする携帯電話によるＩＣタグネットワークシステムである。
【００２０】
例えば、購入時に動機となった広告を同定し、その有効性を判定すること、即ちＰＯＰ（profiling on purchase）が容易に実施できる。前記ＰＯＰが正確にできれば、広告場所（又は位置）による広告料の合理的な算定が容易となり、広告依頼者はもとより、広告仲介者も経営の合理化による利益を受けることができる。
【００２１】
前記のようにＴＴＰの短縮及びＰＯＰの実施を可能にすれば、これだけでも流通に革命的変化をもたらすものであり、ＴＴＰの短縮とＰＯＰの実施とは広告についての必須要件となる。
【００２２】
然して、前記操作は総て携帯電話端末により行うので、携帯電話端末を改造し、又は前記機能を有するものは、使用方法を変えるだけで、前記各処理を自動又は手動で実施することができる。
【００２３】
前記は何れも直接支払いであるが、カード支払いの場合には、カード会社が介在する。現行のカード支払いシステムをそのまま利用することができる。
【発明の効果】
【００２４】
この発明によれば、案内広告の取付枠などにＩＣタグを貼付したので、広告内容が変わっても同一ＩＣタグを使用することができる。また携帯電話端末にＩＣタグリーダを内蔵させてあるので、簡易かつ瞬時に内容を保存することができる効果がある。
【００２５】
前記広告内容に興味のある者は、ＩＣタグの内容を記憶したり、メモする必要がないばかりでなく、直ちにサーバに送信して必要な予約又は商品購入、或いはカタログ要求などの処理を行うことができる効果がある。この場合に携帯電話端末に、ワンタッチ操作ボタンを搭載しておけば、読み取りからサーバへの連絡、予約又は商品購入までの一切の処理を全自動で行うことができる効果がある。
【００２６】
この発明によれば、ＩＣタグの情報によって広告内容、広告表示の場所を即知できるので、サーバにおいて、その場所、その広告のアクセス回数、予約又は購入回数などを管理すれば、広告内容と、効率のよい広告場所との関係データを出すことができるので、広告内容別、広告場所別の広告の有効性を把握し、これを活用し、かつ前記情報を用いて各種サービスできる効果がある。
【発明を実施するための最良の形態】
【００２７】
この発明は、案内広告の取付枠、広告掲示板又は広告塔などに広告関連情報を内蔵したＩＣタグを貼着してあるので、この広告を見た者が興味があるとした時には、前記ＩＣタグに内蔵した情報を携帯電話端末に移しておくことができる。そこで直ちに、又はアクセスしたいと思った時にインターネットのサーバに連絡（前記ＩＣタグの情報を利用して）することにより、予約又は商品購入などの必要な処理をすることができる。
【００２８】
例えば、イベントの予約、商品の購入又はカタログの送付依頼をするなどであって、この場合に、携帯電話端末には前記ＩＣタグのリーダを内蔵しているので、携帯電話端末をＩＣタグに向けてスイッチを操作するだけで情報は移行する。前記携帯電話端末に、サーバの送信その他の処理に必要なソフトが内蔵してあれば、指示ボタンを押すのみで、ＩＣタグの解読とサーバへの送信を同時に終了させることができる。
【００２９】
またサーバには、携帯電話端末からのアクセス回数、広告内容、広告場所、予約又は商品購入の内容等が判るので、内容別に広告の最良の場所を把握することができる。従って、広告をより有効に設置することができる。
【実施例１】
【００３０】
この発明の携帯電話端末とＩＣタグによる携帯ネットワークの実施例を図１について説明すると、電車、バスの吊り広告１の取付枠２又は広告塔２ａに、広告内容、場所アクセス情報を内蔵したＩＣタグ３、３ａ、３ｂを貼着する。
【００３１】
一方、ＩＣタグリーダ付の携帯電話４により、読み取ったＩＣタグ情報キーによりサーバへアクセスし、対応する広告のＵＲＬを取得する。この場合に、ワンタッチで、ＩＣタグの読み取りから、該当するｅ−コマースサイトへアクセスするボタンと、制御ソフトを内蔵させておけば、利用者は単に前記ボタンを押すだけで、予約又は商品購入の手続を完了することができる。
【００３２】
前記のようなボタンを内蔵していない時には、通常の携帯電話端末の操作により、インターネットのサーバにアクセスすることにより、目的を達成することができる。
【００３３】
前記における広告のＵＲＬ管理サーバ７は、広告ＩＤと、該当するＵＲＬを対応付けるＤＢ（database）とその制御（検索、登録、削除、更新）を行う。
【００３４】
またこの発明の広告掲示位置管理サーバ６は、端末からの送られた広告枠位置情報をキーにして、該当広告ＩＤを検索するデータベース又は広告ＩＤから対応するＵＲＬを問い合わせる機構及び返送された情報を端末に送り返す機構などを具備している。
【００３５】
またｅ−コマースサイト５の携帯電話端末４ａに返送されたＵＲＬにアクセスし、予約又は商品購入の手続をすれば総て完了する。前記実施例における携帯電話端末の操作、サーバへの送信その他は、総て従来行われているものを利用する。
【実施例２】
【００３６】
この発明における情報の流れを図２について説明する。広告枠１に貼着したＩＣタグ３を携帯電話４でＩＤを読み取り、広告掲示板位置管理サーバ６及び広告ＵＲＬ管理サーバ７に問合せ広告ＩＤのＵＲＬ又は○○商事のhttp://２２その他の応答がある。
【００３７】
前記のように、ＩＣタグをＩＣタグリーダーで読み取り、その情報を各サーバに送信すれば、一つ宛処理されて、夫々目的とする情報を得ることができる。
【実施例３】
【００３８】
この発明における管理情報の更新を図３について説明する。
【００３９】
広告の取り替え時には、広告掲示板位置管理サーバ６と広告ＩＤ管理サーバの更新と、広告１の取り替えを行う。
【００４０】
また登録広告のＩＣタグ、ＵＲＬの更新については、広告ＩＤ、管理ＤＢ１１、広告ＩＤ管理サーバ９の更新と、広告掲示板位置管理サーバ６、広告掲示板位置管理ＤＢ１２の更新を行う。要するに、ＩＣタグの情報と、取り替えた広告の内容とを一致させることである。従って、広告を取り替える時には、広告ＩＤと、広告掲示板位置管理サーバの更新を行い、両者を一致させなければならない。
【実施例４】
【００４１】
この発明の他の実施例を図４に基づいて説明する。広告主１３が広告を依頼すると、例えば電車、バスなどのＩＣタグ３付の広告の取付枠２に広告を取り付ける。電車に乗った利用者が、前記広告２を見て興味を得た時にはＩＣタグ３の情報を携帯電話４に登録する。
【００４２】
そこで広告中の興味のある事項について、サーバ６へ選択発信１４する。
【００４３】
この場合にサーバ６は情報を処理し、商品発注の通信に対しては、製造者１５に所定の商品を発注すると共に、受信後の処置を携帯電話による利用者に報告１６する。前記製造者１５は、注文された商品を発送１７すると共に、サーバ６に報告１８する。前記により商品を受領した利用者１９が代金支払い２０により一連の取引を完了する。
【００４４】
前記において、利用者の携帯電話には、ＵＲＬ履歴が蓄積２１されているので、サーバへのアクセス、購入、購入の中止、予約、予約取消などを一括処理することができる。
【００４５】
またサーバには、ＩＣタグのＩＤに対応して、電車番号、車両番号、掲載場所などの特定の情報蓄積２２が行われるので、これを広告主の理解できる情報に変換２３して、適宜広告主１３に送信し、サービスすることにより、このシステムの効用を一層向上させることができる。
【図面の簡単な説明】
【００４６】
【図１】この発明の実施例のブロック図。
【図２】同じく情報の流れの実施例のブロック図。
【図３】同じく管理情報の更新の実施例のブロック図。
【図４】同じく他の実施例のブロック図。
【符号の説明】
【００４７】
１  吊広告
２  取付枠
２ａ  広告塔
３  ＩＣタグ
４  携帯電話
５  ｅ−コマースサイト
６  広告掲示板位置管理サーバ
７  広告ＵＲＬ管理サーバ
９  広告ＩＤ管理サーバ
１３  広告主
１５  製造者
【図１】
2005128098.tif 000003
【図２】
2005128098.tif 000004
【図３】
2005128098.tif 000005
【図４】
2005128098.tif 000006